(57)【要約】      （修正有）【課題】センサー計測値を使用者が直感的に把握できる電子時計を提供する。【解決手段】電子時計１は、センサー計測目盛部を有する文字板と、センサー計測値を指示する指針４１と、センサー計測目盛部の最大値を表示する第１表示部３６と、センサー計測目盛部の最小値を表示する第２表示部３７と、指針４１の駆動を制御する指針駆動制御部１６と、最大値および前記最小値の変更入力操作を検出する入力検出部５５と、入力検出部５５で検出された変更入力操作に応じて最大値および前記最小値を設定する設定制御部１３とを備え、指針駆動制御部１６は、第１表示部３６に表示される最大値と、第２表示部３７に表示される最小値と、センサー計測値とで求められる指示位置に、指針４１を移動する。【選択図】図５
2018109594.tif 000002
【特許請求の範囲】
【請求項１】
センサー計測目盛部を有する文字板と、
センサー計測値を指示する指針と、
前記センサー計測目盛部の最大値を表示する第１表示部と、
前記センサー計測目盛部の最小値を表示する第２表示部と、
前記指針の駆動を制御する指針駆動制御部と、
前記最大値および前記最小値の変更入力操作を検出する入力検出部と、
前記入力検出部で検出された前記変更入力操作に応じて前記最大値および前記最小値を設定する設定制御部と、を備え、
前記指針駆動制御部は、前記第１表示部に表示される前記最大値と、前記第２表示部に表示される前記最小値と、前記センサー計測値と、で求められる指示位置に、前記指針を移動する
ことを特徴とする電子時計。
【請求項２】
請求項１に記載の電子時計において、
前記指針は、時刻表示用に設けられた時刻表示針を兼用しており、
前記センサー計測目盛部は、前記文字板に設けられた時刻表示用の目盛の一部であり、
前記指針を、時刻表示針として用いる時刻表示モードと、前記センサー計測値を指示する前記指針として用いる計測値表示モードとを選択するモード設定部を備える
ことを特徴とする電子時計。
【請求項３】
請求項１または請求項２に記載の電子時計において、
前記指針は、前記文字板の平面中心に回転軸が設けられたセンター針であり、
前記第１表示部は、前記文字板の９時位置に設けられ、
前記第２表示部は、前記文字板の３時位置に設けられ、
前記センサー計測目盛部は、前記文字板に設けられた時刻表示用の目盛のうち、３時位置から６時位置を経由して９時位置までの目盛で構成されている
ことを特徴とする電子時計。
【請求項４】
請求項１から請求項３のいずれか一項に記載の電子時計において、
前記第１表示部は、前記文字板に形成された第１小窓と、前記第１小窓から視認可能な第１表示板とを備えて構成され、
前記第２表示部は、前記文字板に形成された第２小窓と、前記第２小窓から視認可能な第２表示板とを備えて構成されている
ことを特徴とする電子時計。
【請求項５】
請求項１から請求項４のいずれか一項に記載の電子時計において、
前記指針駆動制御部は、
前記センサー計測値が前記最大値よりも大きな値の場合は、前記指針を前記センサー計測目盛部の範囲外に設けられた上限超過位置に移動し、
前記センサー計測値が前記最小値よりも小さな値の場合は、前記指針を前記センサー計測目盛部とは異なる位置に設けられた下限超過位置に移動する
ことを特徴とする電子時計。
【請求項６】
請求項１から請求項５のいずれか一項に記載の電子時計において、
前記最大値および前記最小値を記憶する記憶部を備え、
前記設定制御部は、前記変更入力操作に応じて前記最大値および前記最小値を変更された場合は、変更後の前記最大値および前記最小値を前記記憶部に記憶する
ことを特徴とする電子時計。
【請求項７】
請求項１から請求項６のいずれか一項に記載の電子時計において、
少なくとも０段位置から２段位置まで３段階に引き出し可能なリューズを備え、
前記設定制御部は、
前記リューズが１段位置に引き出された場合、前記リューズの回転操作に応じて、前記最大値および前記最小値の一方を変更し、
前記リューズが２段位置に引き出された場合、前記リューズの回転操作に応じて、前記最大値および前記最小値の他方を変更する
ことを特徴とする電子時計。
【請求項８】
請求項１から請求項７のいずれか一項に記載の電子時計において、
複数種類のセンサーから前記指針で指示するセンサーを選択するセンサー選択部と、
前記複数種類のセンサー毎に前記最大値および前記最小値を記憶する記憶部とを備え、
前記設定制御部は、
前記センサー選択部で選択されたセンサーの種類に応じた前記最大値および前記最小値を前記記憶部から読み出して前記第１表示部および前記第２表示部に表示し、
前記入力検出部で前記変更入力操作が検出された場合には、前記変更入力操作に応じて前記最大値および前記最小値を変更し、
前記指針駆動制御部は、前記第１表示部に表示される前記最大値と、前記第２表示部に表示される前記最小値と、前記センサー選択部で選択された種類の前記センサー計測値とで求められる指示位置に、前記指針を移動する
ことを特徴とする電子時計。
【請求項９】
請求項１から請求項８のいずれか一項に記載の電子時計において、
前記最大値および前記最小値の倍率を表示する倍率表示部を備え、
前記設定制御部は、前記最大値および前記最小値と、前記倍率とを設定し、
前記指針駆動制御部は、前記最大値と前記倍率とで求められる前記センサー計測目盛部の最大値と、前記最小値と前記倍率とで求められる前記センサー計測目盛部の最小値と、前記センサー計測値とで求められる指示位置に、前記指針を移動する
ことを特徴とする電子時計。
【請求項１０】
請求項１から請求項９のいずれか一項に記載の電子時計において、
外部の電子機器と通信可能な通信モジュールを備え、
前記電子機器は、第１入力値および第２入力値を入力する入力部と、前記入力部で入力された前記第１入力値および前記第２入力値を送信可能な通信部とを備え、
前記設定制御部は、
前記電子機器から前記第１入力値を受信した場合には、前記第１入力値を用いて前記最大値を設定し、
前記電子機器から前記第２入力値を受信した場合には、前記第２入力値を用いて前記最小値を設定する
ことを特徴とする電子時計。
【発明の詳細な説明】
【技術分野】
【０００１】
本発明は、センサー計測値を表示可能な電子時計に関する。
【背景技術】
【０００２】
電子時計において、温度、高度、気圧などの物理量を計測し、情報指針を用いて表示するものがある（特許文献１）。
特許文献１では、温度などの物理量を計測する物理量計測手段と、物理量計測値を指示する専用の情報指針と、前記指針が前記計測値を指し示すための専用の目盛が表示された目盛部と、目盛部の目盛を指し示して表せる物理量計測値の上下範囲を数値表示により指定する表示部と、電池電圧を検出する電圧検出手段とを備えている。
【０００３】
そして、電圧検出手段による電圧検出値が低くなると、前記表示部の数値表示の範囲を大きくし、情報指針の分解能を大きくして情報指針の回転駆動範囲を小さく抑えることで、電池電圧低下時にも情報指針の指示を維持するようにしている。
【先行技術文献】
【特許文献】
【０００４】
【特許文献１】特開２０１３−５７５１７号公報
【発明の概要】
【発明が解決しようとする課題】
【０００５】
しかしながら、前記特許文献１の電子時計では、表示部の数値表示の範囲を電池電圧によって自動的に変更するため、情報指針が同じ場所を指示していても、表示部の上下範囲の数値が変更された場合は、情報指針が指し示す物理量も異なる。このため、電子時計の使用者は、常に表示部の上下範囲の数値と、情報指針の指示位置との両方の情報を確認し、情報指針が示す物理量を把握しなければならない。
したがって、前記電子時計は、情報量を指針で指示することにより、使用者が直感的に情報量を把握できるというアナログ表示の利点を十分に活かすことができず、使用者の利便性を損なうおそれがあった。
【０００６】
本発明の目的は、センサー計測値を使用者が直感的に把握できる電子時計を提供することにある。
【課題を解決するための手段】
【０００７】
本発明の電子時計は、センサー計測目盛部を有する文字板と、センサー計測値を指示する指針と、前記センサー計測目盛部の最大値を表示する第１表示部と、前記センサー計測目盛部の最小値を表示する第２表示部と、前記指針の駆動を制御する指針駆動制御部と、前記最大値および前記最小値の変更入力操作を検出する入力検出部と、前記入力検出部で検出された前記変更入力操作に応じて前記最大値および前記最小値を設定する設定制御部と、を備え、前記指針駆動制御部は、前記第１表示部に表示される前記最大値と、前記第２表示部に表示される前記最小値と、前記センサー計測値と、で求められる指示位置に、前記指針を移動することを特徴とする。
【０００８】
本発明によれば、センサー計測目盛部の最大値、最小値の変更入力操作を入力検出部で検出し、設定制御部が前記変更入力操作に応じて最大値、最小値を設定するため、電子時計の使用者による変更入力操作によって最大値、最小値を修正できる。このため、使用者による電子時計１の使用状態に応じて、センサー計測値を指針で適切に表示することができる。例えば、センサー計測値の変動が小さい場合には、センサー計測目盛部の最大値および最小値の範囲（レンジ）を狭く設定することで、指針によってアナログ表示されるセンサー計測値を、細かく、かつ、精度よく指示できる。
また、使用者がセンサー計測目盛部のレンジ範囲を変更できるため、センサー計測値の変動が大きい場合でも、センサー計測値を適切に指示できる。
したがって、センサー計測目盛部の最大値、最小値を、使用者による変更入力操作で容易に変更できるため、指針によって指示されるセンサー計測値を、使用者が把握しやすい状態にすることができる。さらに、電子時計は、指針によってセンサー計測値を表示するアナログ表示式であり、さらに、最大値および最小値を使用者が変更することができるため、使用者は、指針の位置でセンサー計測値を直感的に把握することができる。
【０００９】
本発明の電子時計において、前記指針は、時刻表示用に設けられた時刻表示針を兼用しており、前記センサー計測目盛部は、前記文字板に設けられた時刻表示用の目盛の一部であり、前記指針を、時刻表示針として用いる時刻表示モードと、前記センサー計測値を指示する前記指針として用いる計測値表示モードとを選択するモード設定部を備えることが好ましい。
本発明によれば、秒針などの時刻表示針を、センサー計測値を指示する指針として兼用しているため、指針やこの指針を駆動するステップモーターの数を少なくできる。このため、腕時計のように小型の電子時計にも、容易に組み込むことができる。
【００１０】
本発明の電子時計において、前記指針は、前記文字板の平面中心に回転軸が設けられたセンター針であり、前記第１表示部は、前記文字板の９時位置に設けられ、前記第２表示部は、前記文字板の３時位置に設けられ、前記センサー計測目盛部は、前記文字板に設けられた時刻表示用の目盛のうち、３時位置から６時位置を経由して９時位置までの目盛で構成されていることが好ましい。
本発明によれば、センサー計測値を指示する指針をセンター針で構成したので、指針の先端の移動量を大きくでき、センサー計測値を精度よく読み取ることができる。また、センサー計測目盛部が時刻表示用の目盛の下半分であり、第１表示部を文字板の９時位置、第２表示部を３時位置に配置しているので、６時位置が最大値および最小値間の中央値（１／２）となる。このため、使用者は、指針の指示位置が３時位置から６時位置の範囲であれば、半分以下の値であり、指針の指示位置が６時位置から９時位置の範囲であれば、半分以上の値であることを容易に把握できる。このため、使用者は、何らかの判断基準となるセンサー計測値が、前記６時位置になるように最大値、最小値を設定することもでき、使用者にとって使い勝手のよいものにできる。
【００１１】
本発明の電子時計において、前記第１表示部は、前記文字板に形成された第１小窓と、前記第１小窓から視認可能な第１表示板とを備えて構成され、前記第２表示部は、前記文字板に形成された第２小窓と、前記第２小窓から視認可能な第２表示板とを備えて構成されていることが好ましい。
本発明によれば、第１表示板、第２表示板を第１小窓、第２小窓から露出させて、最大値、最小値を表示しているので、液晶パネル等の表示パネルで最大値、最小値を表示する場合に比べて消費電力を低減できる。
【００１２】
本発明の電子時計において、前記指針駆動制御部は、前記センサー計測値が前記最大値よりも大きな値の場合は、前記指針を前記センサー計測目盛部の範囲外に設けられた上限超過位置に移動し、前記センサー計測値が前記最小値よりも小さな値の場合は、前記指針を前記センサー計測目盛部とは異なる位置に設けられた下限超過位置に移動することが好ましい。
本発明によれば、使用者はセンサー計測値がセンサー計測目盛部の範囲外であることを容易に把握できる。したがって、使用者は、最大値や最小値を変更する必要があることを把握でき、これらを変更することで、センサー計測値を正しく把握することができる。
【００１３】
本発明の電子時計において、前記最大値および前記最小値を記憶する記憶部を備え、前記設定制御部は、前記変更入力操作に応じて前記最大値および前記最小値を変更された場合は、変更後の前記最大値および前記最小値を前記記憶部に記憶することが好ましい。
本発明によれば、使用者が変更した最大値および最小値を記憶部に記憶しているので、計測値表示モードに切り替えた際に、センサー計測目盛部の範囲を初期値に戻すことなく前回の設定で使用でき、使用者の利便性を向上できる。
【００１４】
本発明の電子時計において、少なくとも０段位置から２段位置まで３段階に引き出し可能なリューズを備え、前記設定制御部は、前記リューズが１段位置に引き出された場合、前記リューズの回転操作に応じて、前記最大値および前記最小値の一方を変更し、前記リューズが２段位置に引き出された場合、前記リューズの回転操作に応じて、前記最大値および前記最小値の他方を変更することが好ましい。
本発明によれば、リューズの操作で最大値、最小値を変更できるため、使用者は直感的に操作でき、操作性を向上できる。
【００１５】
本発明の電子時計において、複数種類のセンサーから前記指針で指示するセンサーを選択するセンサー選択部と、前記複数種類のセンサー毎に前記最大値および前記最小値を記憶する記憶部とを備え、前記設定制御部は、前記センサー選択部で選択されたセンサーの種類に応じた前記最大値および前記最小値を前記記憶部から読み出して前記第１表示部および前記第２表示部に表示し、前記入力検出部で前記変更入力操作が検出された場合には、前記変更入力操作に応じて前記最大値および前記最小値を変更し、前記指針駆動制御部は、前記第１表示部に表示される前記最大値と、前記第２表示部に表示される前記最小値と、前記センサー選択部で選択された種類の前記センサー計測値とで求められる指示位置に、前記指針を移動することが好ましい。
本発明によれば、複数種類のセンサーを設けることができるので、使用者は様々な種類のセンサー計測値を確認することができる。また、センサー選択部で選択されたセンサーの種類に応じて最大値、最小値を記憶部に記憶し、記憶された値を第１表示部、第２表示部に表示して設定するため、各センサー計測値に応じた適切なレンジを設定でき、使用者は指針の指示位置によってセンサー計測値を容易に把握できる。
さらに、最大値および最小値を使用者の変更入力操作でセンサーの種類毎に設定できるため、この点でも使用者の利便性を向上できる。
【００１６】
本発明の電子時計において、前記最大値および前記最小値の倍率を表示する倍率表示部を備え、前記設定制御部は、前記最大値および前記最小値と、前記倍率とを設定し、前記指針駆動制御部は、前記最大値と前記倍率とで求められる前記センサー計測目盛部の最大値と、前記最小値と前記倍率とで求められる前記センサー計測目盛部の最小値と、前記センサー計測値とで求められる指示位置に、前記指針を移動することが好ましい。
本発明によれば、倍率表示部を設けたので、桁数が異なる様々なセンサー計測値を表示することができ、電子時計に搭載されるセンサーの種類が異なる場合でも、第１表示部、第２表示部は共通のものが利用できる。
【００１７】
本発明の電子時計において、外部の電子機器と通信可能な通信モジュールを備え、前記電子機器は、第１入力値および第２入力値を入力する入力部と、前記入力部で入力された前記第１入力値および前記第２入力値を送信可能な通信部とを備え、前記設定制御部は、前記電子機器から前記第１入力値を受信した場合には、前記第１入力値を用いて前記最大値を設定し、前記電子機器から前記第２入力値を受信した場合には、前記第２入力値を用いて前記最小値を設定することが好ましい。
本発明によれば、電子機器を用いて最大値、最小値を設定できるので、設定操作を容易に行うことができる。また、電子機器の入力部を用いて入力できるため、センサーの種類に応じた最大値、最小値を設定する場合に、入力部の表示を入力に適した画面に設定することもでき、変更入力操作を容易に行うことができる。
【図面の簡単な説明】
【００１８】
【図１】本発明の第１実施形態に係る電子時計を示す正面図。
【図２】第１実施形態における第１表示板および第２表示板を示す模式図。
【図３】第１実施形態における最大値の変更入力操作を示す説明図。
【図４】第１実施形態における最大値の変更入力操作を示す説明図。
【図５】第１実施形態における電子時計の構成を示すブロック図。
【図６】第１実施形態における電子時計の指針表示制御を示すフローチャート。
【図７】第１実施形態における高度の表示例を示す模式図。
【図８】第１実施形態における高度の表示例を示す模式図。
【図９】第１実施形態における高度の表示例を示す模式図。
【図１０】本発明の第２実施形態に係る電子時計を示す正面図。
【図１１】第２実施形態における気圧の表示例を示す模式図。
【図１２】第２実施形態における気圧の表示例を示す模式図。
【図１３】第２実施形態における気圧の表示例を示す模式図。
【図１４】第２実施形態における気温の表示例を示す模式図。
【図１５】第２実施形態における気温の表示例を示す模式図。
【図１６】第２実施形態における気温の表示例を示す模式図。
【図１７】第２実施形態における気温の表示例を示す模式図。
【図１８】本発明の第３実施形態に係るセンサー計測値の表示例を示す模式図。
【図１９】第３実施形態におけるセンサー計測値の表示例を示す模式図。
【図２０】第３実施形態におけるセンサー計測値の表示例を示す模式図。
【図２１】第３実施形態におけるセンサー計測値の表示例を示す模式図。
【図２２】第３実施形態におけるセンサー計測値の表示例を示す模式図。
【図２３】第３実施形態におけるセンサー計測値の表示例を示す模式図。
【図２４】第４実施形態における電子時計および電子機器を示す模式図。
【図２５】本発明の変形例の第１表示板および第２表示板を示す模式図。
【発明を実施するための形態】
【００１９】
［第１実施形態］
以下、本発明の第１実施形態について、図面に基づいて説明する。
図１に示すように、第１実施形態の電子時計１は、使用者の手首に装着される腕時計であり、外装ケース２と、円板状の文字板３と、図示略のムーブメントと、ムーブメント内に設けられたモーターで駆動される時刻表示用の指針４（秒針４１、分針４２、時針４３）と、外部操作部材であるリューズ５およびＡボタン６、Ｂボタン７とを備える。
指針４の回転軸４０は、文字板３の平面中心位置に配置されているので、秒針４１、分針４２、時針４３はセンター針である。なお、本実施形態の秒針４１は、後述するように、センサー計測値を指示する指針としても兼用されている。
【００２０】
［外部操作部材］
外部操作部材であるリューズ５およびＡボタン６、Ｂボタン７は、外装ケース２の側面に設けられている。リューズ５は、後述するように、センサー計測目盛部３１の最大値および最小値を変更する場合に操作され、Ａボタン６、Ｂボタン７は、電子時計１の動作モードを変更する際に操作される。この機能については後述する。
【００２１】
［文字板］
文字板３には、目盛３０と、第１表示部３２と、第２表示部３３とが設けられている。
目盛３０は、文字板３の外周を６０分割し、指針４で時刻を指示する際に利用される一般的な目盛である。この目盛３０の一部でセンサー計測目盛部３１が構成されている。
【００２２】
［センサー計測目盛部］
センサー計測目盛部３１は、文字板３の前記目盛３０の一部で構成されている。具体的には、目盛３０において、時針４３が３時を指示する位置から、６時を指示する位置を介して、９時を指示する位置まで、目盛３０の下半分の１８０度の範囲でセンサー計測目盛部３１が構成されている。
すなわち、目盛３０を秒針４１用の目盛として説明すれば、センサー計測目盛部３１は、１５秒位置から３０秒位置を経由して４５秒位置までの範囲である。
【００２３】
［第１表示部および第２表示部］
第１表示部３２および第２表示部３３は、文字板３に開口された第１小窓３４および第２小窓３５と、第１小窓３４、第２小窓３５から一部が露出する第１表示板３６および第２表示板３７とを備えている。
第１小窓３４は、文字板３の略９時位置に形成され、第２小窓３５は、文字板３の略３時位置に形成されている。第１小窓３４および第２小窓３５は、指針４の回転軸４０を挟んで点対称位置に形成されている。
第１小窓３４は、後述する第１表示板３６に表記された数値（最大値）を、使用者が視認可能な位置に開口されている。第２小窓３５は、後述する第２表示板３７に表記された数値（最小値）を、使用者が視認可能な位置に開口されている。
【００２４】
［第１表示板および第２表示板］
文字板３の裏面（電子時計１の裏蓋側）には、図２に示すように、第１表示板３６および第２表示板３７が配置されている。第１表示板３６および第２表示板３７は、指針４の回転軸４０を挟んで左右に配置されている。
本実施形態は、後述するように、センサーとして高度計を備えており、高度計で計測した計測値（高度）を秒針４１で指示する。このため、第１表示板３６および第２表示板３７は、高度表示用に設定されるセンサー計測目盛部３１の目盛範囲の最大値、最小値の選択候補となる複数の数値が表記されている。
【００２５】
第１表示板３６は、センサー計測目盛部３１の最大値を設定するための数値が表記されている。本実施形態では、図２に示すように、１０００ｍから４０００ｍまで５００ｍ毎の数値と、５０００ｍとが表記されている。第１表示板３６に表記された数値の１つは、第１小窓３４に表示され、使用者は第１小窓３４に表示された数値によって最大値を確認できる。
第２表示板３７は、センサー計測目盛部３１の最小値を設定するための数値が表記されている。本実施形態では、図２に示すように、０ｍから３５００ｍまで５００ｍ毎の数値が表記されている。第２表示板３７に表記された数値の１つは、第２小窓３５に表示され、使用者は第２小窓３５に表示された数値によって最小値を確認できる。
【００２６】
最大値は、センサー計測目盛部３１の上限値を示し、センサー計測目盛部３１の９時位置の目盛の値である。
最小値は、センサー計測目盛部３１の下限値を示し、センサー計測目盛部３１の３時位置の目盛の値である。
したがって、センサー計測目盛部３１の９時位置の目盛から３時位置の目盛までの３１個の目盛の各センサー計測値は、センサー計測目盛部３１の最大値および最小値の差分を３０等分することによって設定される。
例えば、センサー計測目盛部３１の最大値が１０００ｍ、最小値が５００ｍの場合、センサー計測目盛部３１の各目盛は３０等分されているので、１目盛の高度（分解能）は、（１０００ｍ−５００ｍ）／３０＝約１６．７ｍである。
同様に、最大値が４０００ｍ、最小値が１０００ｍの場合、１目盛の高度（分解能）は、（４０００ｍ−１０００ｍ）／３０＝１００ｍであり、最大値が４０００ｍ、最小値が２０００ｍの場合、１目盛の高度（分解能）は、（４０００ｍ−２０００ｍ）／３０＝約６６．７ｍである。
【００２７】
センサー計測値からセンサー計測目盛部３１において秒針４１が指示する位置（秒位置）は、（センサー計測値−最小値）×３０／（最大値−最小値）＋１５秒で求めることができる。なお、１５秒は、最小値の目盛位置である。
例えば、最大値が１０００ｍ、最小値が５００ｍ、センサー計測値が６００ｍの場合、秒針４１が指示する位置は、（６００−５００）×３０／（１０００−５００）＋１５秒＝２１秒位置となる。
同様に、最大値が４０００ｍ、最小値が１０００ｍ、センサー計測値が２５００ｍの場合、秒針４１が指示する位置は、（２５００−１０００）×３０／（４０００−１０００）＋１５秒＝３０秒位置となる。
また、最大値が４０００ｍ、最小値が２０００ｍ、センサー計測値が２３００ｍの場合、秒針４１が指示する位置は、（２３００−２０００）×３０／（４０００−２０００）＋１５秒＝１９．５秒位置となる。
【００２８】
第１表示板３６、第２表示板３７は、リューズ５を操作することで回転され、センサー計測目盛部３１の最大値および最小値を設定できるように構成されている。
すなわち、リューズ５は図示略の巻真に固定され、巻真には図示略の修正車が取り付けられている。リューズ５は、０段位置から２段位置まで少なくとも３段階に引き出し可能に構成されている。
ムーブメントには、第１表示板３６を回転する図示略の輪列と、第２表示板３７を回転する図示略の輪列とが配置されている。
そして、リューズ５が０段位置にある場合、巻真に取り付けられた修正車は、第１表示板３６や第２表示板３７を回転する輪列に噛み合っていない。このため、リューズ５を回転しても第１表示板３６や第２表示板３７は回転しない。
【００２９】
図３に示すように、リューズ５を１段位置に引き出すと、第１表示板３６を回転して最大値を修正するモードとなり、巻真に取り付けられた修正車が、第１表示板３６を回転する輪列に噛み合う。
そして、リューズ５を上回し（リューズ５を電子時計１の３時方向の側面から見た場合に右回し）すると、第１表示板３６が図２において時計回りに回転する。このため、図３に示すように、第１表示板３６の第１小窓３４に露出する部分は、上側（１２時方向）に移動する。つまり、第１表示板３６は、第１小窓３４に表示される数値が増加する（大きくなる）方向に移動する。
逆に、リューズ５を下回し（左回し）すると、第１表示板３６が図２において反時計回りに回転する。このため、第１表示板３６の第１小窓３４に露出する部分は、下側（６時方向）に移動し、第１表示板３６は、第１小窓３４に表示される数値が減少する（小さくなる）方向に移動する。
リューズ５を１段位置から０段位置や２段位置に移動した時点で、第１表示板３６は回転できなくなり、その時点で第１小窓３４に表示されている数値が最大値として設定される。
【００３０】
図４に示すように、リューズ５を２段位置に引き出すと、第２表示板３７を回転して最小値を修正するモードとなり、巻真に取り付けられた修正車が、第２表示板３７を回転する輪列に噛み合う。
そして、リューズ５を上回し（右回し）すると、第２表示板３７が反時計回りに回転する。このため、図４に示すように、第２表示板３７の第２小窓３５に露出する部分は、上側（１２時方向）に移動する。つまり、第２表示板３７は、第２小窓３５に表示される数値が増加する（大きくなる）方向に移動する。
逆に、リューズ５を下回し（左回し）すると、第２表示板３７が図２において時計回りに回転する。このため、第２表示板３７の第２小窓３５に露出する部分は、下側（６時方向）に移動し、第２表示板３７は、第２小窓３５に表示される数値が減少する（小さくなる）方向に移動する。
リューズ５を２段位置から１段位置や０段位置に移動した時点で、第２表示板３７は回転できなくなり、その時点で第２小窓３５に表示されている数値が最小値として設定される。
【００３１】
［電子時計の回路構成］
図５は、電子時計１の回路構成を示すブロック図である。
電子時計１は、段数検出部５１、Ａボタンスイッチ５２、Ｂボタンスイッチ５３、入力検出部５５、制御部１０、計時部６０、記憶部６２、高度センサー６５、秒針駆動部２１、時分針駆動部２２を備えている。
【００３２】
段数検出部５１は、巻真の軸方向に移動可能とされたリューズ５の引き出し段数を検出するスイッチであり、１段検出スイッチ５１１および２段検出スイッチ５１２を備えている。
リューズ５が０段位置にある場合、各検出スイッチ５１１、５１２はオフ状態であり、検出信号も制御部１０に出力されない。
リューズ５が１段位置に引き出されると、２段検出スイッチ５１２はオフ状態であるが、１段検出スイッチ５１１が巻真と接触してオン状態となり、段数検出部５１は、１段検出信号を制御部１０に出力する。
リューズ５が２段位置に引き出されると、１段検出スイッチ５１１はオフ状態となり、２段検出スイッチ５１２が巻真と接触してオン状態となり、段数検出部５１は、２段検出信号を制御部１０に出力する。
【００３３】
Ａボタンスイッチ５２、Ｂボタンスイッチ５３は、使用者によってＡボタン６、Ｂボタン７が押されたことを検出し、検出信号を制御部１０に出力するスイッチである。
【００３４】
入力検出部５５は、リューズ５による最大値、最小値の変更入力操作を検出するものであり、本実施形態では、第１回転位置検出部５６、第２回転位置検出部５７を備えている。
第１回転位置検出部５６は、第１表示板３６の回転位置を検出し、位置検出信号を制御部１０に出力する。第１表示板３６の回転位置は、リューズ５の回転操作によって変更されるため、第１回転位置検出部５６は、リューズ５の回転操作による最大値の変更入力操作を検出する入力検出部５５として機能し、第１小窓３４に表示されている数値（最大値）を間接的に検出していることになる。
第２回転位置検出部５７は、第２表示板３７の回転位置を検出し、位置検出信号を制御部１０に出力する。第２表示板３７の回転位置は、リューズ５の回転操作によって変更されるため、第２回転位置検出部５７は、リューズ５の回転操作による最小値の変更入力操作を検出する入力検出部５５として機能し、第２小窓３５に表示されている数値（最小値）を間接的に検出していることになる。
【００３５】
なお、第１回転位置検出部５６、第２回転位置検出部５７としては、第１表示板３６、第２表示板３７に表記された数値の角度分だけ回転する毎に、所定の検出信号を出力するものが利用できる。例えば、第１表示板３６および第２表示板３７に表記された数字は、各表示板３６、３７の回転中心の周囲に４５度間隔で配置されている。したがって、第１表示板３６および第２表示板３７を回転する輪列に、第１表示板３６、第２表示板３７が４５度回転する毎に、入力されるスイッチを設けて、第１回転位置検出部５６、第２回転位置検出部５７を構成すればよい。また、第１回転位置検出部５６、第２回転位置検出部５７としては、公知のフォトリフレクター、フォトインタラプター、ＭＲセンサー等の各種の回転エンコーダー等を利用してもよい。
【００３６】
計時部６０は、水晶振動子の発振信号を分周して生成される基準信号を用いて時刻データを更新する。
記憶部６２は、第１表示板３６および第２表示板３７を回転操作して設定される最大値および最小値が記憶される。
高度センサー６５は、気圧式高度計であり、内蔵する圧力センサーによって気圧を検出して高度を求めるものである。
【００３７】
秒針駆動部２１は、ステップモーターおよび輪列によって構成され、制御部１０から入力される駆動パルスによってステップモーターを駆動することで秒針４１を移動するものである。
時分針駆動部２２は、ステップモーターおよび輪列によって構成され、制御部１０から入力される駆動パルスによってステップモーターを駆動することで分針４２および時針４３を移動するものである。
【００３８】
［制御部］
制御部１０は、リューズ段数判定部１１と、モード設定部１２と、設定制御部１３と、秒針駆動制御部１６と、時分針駆動制御部１７とを備えている。
リューズ段数判定部１１は、段数検出部５１から出力される検出信号に基づいて、使用者によってリューズ５が１段位置または２段位置に引き出されたかを判定する。
モード設定部１２は、Ａボタン６の操作に応じて、秒針４１を時刻の秒表示に用いる時刻表示モードと、センサー計測値の指示に用いる計測値表示モードとを選択して設定する。
【００３９】
設定制御部１３は、入力検出部５５で検出された変更入力操作に応じて最大値および最小値を設定する。このため、設定制御部１３は、第１設定制御部１４および第２設定制御部１５を備えている。
第１設定制御部１４は、リューズ段数判定部１１でリューズ５が１段位置にあると判定された場合に作動し、使用者がリューズ５を操作して変更した最大値を設定し、記憶部６２に記憶する。
第２設定制御部１５は、リューズ段数判定部１１でリューズ５が２段位置にあると判定された場合に作動し、使用者がリューズ５を操作して変更した最小値を設定し、記憶部６２に記憶する。
【００４０】
秒針駆動制御部１６は、秒針駆動部２１に対して駆動パルスを出力し、秒針４１の駆動を制御する。本実施形態では、秒針４１がセンサー計測値を指示する指針であるため、秒針駆動制御部１６が本発明の指針駆動制御部である。
時分針駆動制御部１７は、時分針駆動部２２に対して駆動パルスを出力し、分針４２および時針４３の駆動を制御する。
【００４１】
［制御部の表示制御］
次に、図６のフローチャートに基づいて、制御部１０における表示制御について説明する。
制御部１０は、図６のフローチャートを所定時間間隔（例えば０．５秒間隔）で繰り返し実行しており、まず、モード設定部１２によって計測値表示モードが選択されているかを判定する（ステップＳ１）。
【００４２】
モード設定部１２は、Ａボタン６が短時間（例えば１秒未満）押された場合には、時刻表示モードと計測値表示モードとを切り替える。また、モード設定部１２の初期モードは、時刻表示モードである。したがって、Ａボタン６が押されていない場合には、制御部１０は、ステップＳ１で「ＮＯ」と判定し、時刻表示処理を実行する（ステップＳ２）。
ステップＳ２では、秒針駆動制御部１６は、計時部６０で計時されている時刻に応じて、秒針駆動部２１に駆動パルスを出力し、秒針４１を運針する。また、時分針駆動制御部１７は、計時部６０で計時されている時刻に応じて、時分針駆動部２２に駆動パルスを出力し、分針４２、時針４３を運針する。
【００４３】
一方、制御部１０は、Ａボタン６が押されて計測値表示モードに切り替わっている場合は、ステップＳ１で「ＹＥＳ」と判定し、計測値表示処理を実行する（ステップＳ３）。
ステップＳ３では、指針駆動制御部である秒針駆動制御部１６は、第１表示部３２に表示されている最大値と、第２表示部３３に表示されている最小値とを記憶部６２から読み出し、高度センサー６５からセンサー計測値（高度）を読み出し、これらの最大値、最小値、センサー計測値に基づいて秒針４１の指示位置を求め、その指示位置まで秒針４１を移動する。
【００４４】
なお、センサー計測値がセンサー計測目盛部３１の範囲外の場合は、秒針駆動制御部１６は秒針４１を予め設定された位置に移動する。すなわち、秒針駆動制御部１６は、センサー計測値が最大値よりも大きな値の場合は、秒針４１を上限超過位置（４７秒位置）に移動し、センサー計測値が最小値よりも小さな値の場合は、秒針４１を下限超過位置（１３秒位置）に移動する。
また、秒針駆動制御部１６は、秒針４１でセンサー計測値を指示する場合には、秒針４１を早送りで移動したり、反時計回りに移動して、使用者が通常の秒表示と異なる動作であることを容易に理解できるように動作させてもよい。
また、ステップＳ３の計測値表示処理の実行中、時分針駆動制御部１７は、分針４２、時針４３による現時刻表示を継続する。
したがって、計測値表示処理中、時針４３、分針４２は時刻表示を継続して行い、秒針４１は秒指示からセンサー計測値の指示に移行する。
【００４５】
制御部１０のリューズ段数判定部１１は、段数検出部５１からの検出信号をチェックし、時刻表示処理や計測値表示処理の実行中に、リューズ５が１段位置に引かれたかを判定する（ステップＳ４）。
ステップＳ４で「ＹＥＳ」と判定された場合、第１設定制御部１４は、最大値を変更する最大値変更処理を実行する（ステップＳ５）。
最大値変更処理では、使用者がリューズ５を１段位置に引き出しており、リューズ５を回転すると、前述のとおり、第１表示板３６が回転し、第１小窓３４に表示される数値が変更される。また、第１表示板３６の回転位置は、第１回転位置検出部５６で検出され、第１回転位置検出部５６から第１設定制御部１４に検出信号が出力される。
第１設定制御部１４は、第１回転位置検出部５６からの検出信号に基づいて、第１小窓３４に表示されている数値を判定する。第１表示板３６の回転位置と第１小窓３４に表示される数値とを対応させたデータを記憶部６２に記憶しておくことで、第１設定制御部１４は、第１回転位置検出部５６によって第１表示板３６の回転位置（回転角度）を検出することで、第１小窓３４に表示される数値を把握できる。
使用者は、第１小窓３４に設定しようとする最大値が表示された時点でリューズ５の回転を停止し、リューズ５を１段位置から、０段位置あるいは２段位置に移動する。すると、リューズ段数判定部１１は、リューズ５が１段位置から移動されたことを判定し、第１設定制御部１４に通知する。第１設定制御部１４は、その時点の第１表示板３６の回転位置に基づいて第１小窓３４に表示されている最大値を求め、記憶部６２に記憶する。
以上により、使用者がリューズ５を操作することによる最大値変更処理が終了する。
【００４６】
ステップＳ５の最大値変更処理が終了した場合や、ステップＳ４で「ＮＯ」と判定された場合は、制御部１０のリューズ段数判定部１１は、段数検出部５１からの検出信号をチェックし、リューズ５が２段位置に引かれたかを判定する（ステップＳ６）。
ステップＳ６で「ＹＥＳ」と判定された場合、第２設定制御部１５は、最小値を変更する最小値変更処理を実行する（ステップＳ７）。この最小値変更処理は、最大値変更処理と同様に行われる。
すなわち、最小値変更処理では、使用者がリューズ５を２段位置に引き出しており、リューズ５を回転すると、前述のとおり、第２表示板３７が回転し、第２小窓３５に表示される数値が変更される。また、第２表示板３７の回転位置は、第２回転位置検出部５７で検出され、第２回転位置検出部５７から第２設定制御部１５に検出信号が出力される。
第２設定制御部１５は、第２回転位置検出部５７からの検出信号に基づいて、第２小窓３５に表示されている数値を判定する。第２表示板３７の回転位置と第２小窓３５に表示される数値とを対応させたデータを記憶部６２に記憶しておくことで、第２設定制御部１５は、第２回転位置検出部５７によって第２表示板３７の回転位置（回転角度）を検出し、第２小窓３５に表示される数値を把握できる。
使用者は、第２小窓３５に設定しようとする最小値が表示された時点でリューズ５の回転を停止し、リューズ５を２段位置から、１段位置あるいは０段位置に移動する。すると、リューズ段数判定部１１は、リューズ５が２段位置から移動されたことを判定し、第２設定制御部１５に通知する。第２設定制御部１５は、その時点の第２表示板３７の回転位置に基づいて第２小窓３５に表示されている最小値を求め、記憶部６２に記憶する。
以上により、使用者がリューズ５を操作することによる最小値変更処理が終了する。
そして、ステップＳ６の最小値変更処理が終了した場合や、ステップＳ６で「ＮＯ」と判定された場合は、図６の処理が終了し、制御部１０は、ステップＳ１〜Ｓ７までの処理を繰り返し実行する。
【００４７】
なお、ステップＳ５、Ｓ７の処理実行中は、指針４（秒針４１、分針４２、時針４３）の運針を継続してもよいし、停止してもよい。
例えば、時刻表示処理中に、リューズ５が１段位置や２段位置に引かれた場合には、指針４による時刻表示は停止してもよいが、時刻表示を継続することが好ましい。本実施形態では、リューズ５を引いた際に、指針４は修正対象ではないためである。
また、計測値表示処理中に、リューズ５が１段位置や２段位置に引かれた場合には、分針４２、時針４３による時刻表示は継続することが好ましく、秒針４１によるセンサー計測値の指示は継続してもよいし、停止してもよい。
最大値や最小値の変更処理中に、秒針４１によるセンサー計測値の指示も継続する場合は、変更した最大値や最小値に応じて秒針４１の指示位置が変更するため、使用者が見やすいレベルに最大値や最小値を設定し易い利点がある。
また、最大値や最小値の変更処理中に、秒針４１によるセンサー計測値の指示を停止する場合は、最大値や最小値の変更途中で秒針４１の移動してしまうことがなく、最大値や最小値が確定した時点で秒針４１を移動できるため、消費電力を低減できる利点がある。
【００４８】
次に、本実施形態において、秒針４１によるセンサー計測値の指示例について、図７〜９を参照して説明する。
使用者は、標高５９２ｍの松本市や標高７１３ｍの塩尻市で生活しているため、図７に示すように、通常は、第１表示部３２に表示されるセンサー計測目盛部３１の最大値を１０００ｍ、第２表示部３３に表示される最小値を５００ｍに設定している。このため、使用者が自宅（標高６００ｍ程度）において、Ａボタン６を操作して計測値表示モードに設定すると、図７に示すように、秒針駆動制御部１６は、秒針４１を、高度６００ｍを指示する位置（２１秒位置）に移動する。
【００４９】
図８は、使用者が富士山を吉田ルートで登るため、富士スバルライン５合目（標高２３００ｍ）に移動した場合の指示例である。使用者は、登山中の標高を確認できるように、最大値変更処理（ステップＳ５）、最小値変更処理（ステップＳ７）において、第１表示部３２に表示される最大値を４０００ｍ、第２表示部３３に表示される最小値を２０００ｍに変更した。登山口での標高は２３００ｍであるため、使用者が計測値表示モードに設定すると、図８に示すように、秒針駆動制御部１６は、秒針４１を、高度２３００ｍを指示する位置（１９．５秒位置）に移動する。
【００５０】
使用者が計測値表示モードに設定したまま、登山すると、高度センサー６５は一定時間間隔（例えば１分間隔）で高度を測定し、秒針駆動制御部１６は、秒針４１を高度センサー６５のセンサー測定値（高度）を指示する位置に移動する。
したがって、使用者が富士山山頂（標高３７７６ｍ）に到達した時点では、図９に示すように、秒針駆動制御部１６は、秒針４１を、高度３７７６ｍを指示する位置（４１．６４秒位置）に移動する。
【００５１】
使用者が富士山から下山して自宅に戻った場合に、最小値が１０００ｍのままであると、センサー計測値（６００ｍ）がセンサー計測目盛部３１の最小値（１０００ｍ）未満となり、秒針４１で指示できない。この場合、秒針駆動制御部１６は、秒針４１を例えば１３秒位置など、センサー計測値が最小値を下回ったことを指示する下限超過位置に移動する。したがって、使用者は、秒針４１がセンサー計測目盛部３１の範囲外に移動しており、最大値または最小値が適切な値ではないことを容易に把握できる。したがって、使用者は、最大値変更処理（ステップＳ５）、最小値変更処理（ステップＳ７）を実行し、最大値を１０００ｍ、最小値を５００ｍに変更すれば、図７に示すように、秒針４１の指示位置もセンサー計測目盛部３１内に移動し、使用者も高度を容易に確認できる。
【００５２】
［第１実施形態の効果］
第１実施形態に係る電子時計１によれば、以下の効果を奏することができる。
使用者がセンサー計測目盛部３１の最大値、最小値を修正できるため、電子時計１の使用状態に応じてセンサー計測値を秒針４１で適切に表示することができる。すなわち、通常の生活時には高度が大きく変動しないため、センサー計測目盛部３１の最大値および最小値の範囲（レンジ）を狭く設定することで、秒針４１によってアナログ表示される高度を、細かく、かつ、精度よく指示できる。また、富士山登山のように、通常の高度範囲と異なる高度となり、かつ、高度が大きく変化する場合には、使用者がセンサー計測目盛部３１のレンジ範囲を変更できるため、使用状態に応じて、高度を適切なレンジで指示できる。
このように、センサー計測目盛部３１の最大値、最小値を、使用者がリューズ５を操作することで容易に変更できるため、使用状態に応じて、秒針４１によって指示されるセンサー計測値を把握しやすい状態にすることができる。このため、使用者は、センサー計測値を直感的に把握することができる。
【００５３】
さらに、電子時計１は、秒針４１によってセンサー計測値を表示するアナログ表示式であるため、秒針４１の位置によって大まかな値を指示することができる。本実施形態では、使用者が、最大値、最小値の値を指定するため、使用者は、秒針４１の指示位置からセンサー計測値の概略の値を容易に把握することができる。また、最大値、最小値は、使用者が変更操作をしない限り、固定されているので、繰り返し使用している使用者は、秒針４１の位置によってセンサー計測値を直感的に把握できる。
【００５４】
本実施形態では、秒針４１をセンサー計測値を指示する指針として兼用しているため、指針やステップモーターの数を少なくできる。このため、腕時計のように小型の電子時計１にも、容易に組み込むことができる。
また、秒針４１はセンター針であるため、秒針４１の先端の移動量を大きくでき、センサー計測値を指示する場合も、指示位置を精度よく読み取ることができる。
さらに、センサー計測目盛部３１が時刻表示用の目盛３０の下半分であり、第１表示部３２を文字板３の９時位置、第２表示部３３を３時位置に配置しているので、６時位置が最大値および最小値間の中央値（１／２）となる。このため、使用者は、センサー計測値がレンジの半分以上であるか以下であるかを容易に把握でき、特に、中央値を基準にしてセンサー計測値を判断する場合には、所定の計測値が前記６時位置になるように最大値、最小値を設定することができ、使用者にとって使い勝手のよいものにできる。
【００５５】
本実施形態では、第１表示板３６、第２表示板３７を第１小窓３４、第２小窓３５から露出させて、最大値、最小値を表示しているので、液晶パネル等の表示パネルで表示する場合に比べて消費電力を低減できる。
また、第１表示板３６、第２表示板３７をリューズ５の回転操作により手動で回転させているので、使用者は直感的に操作でき、さらに、モーターを用いて第１表示板３６、第２表示板３７を回転する場合に比べて、最大値、最小値の変更操作時の消費電力を低減できる。
【００５６】
センサー計測値がセンサー計測目盛部３１の範囲外の場合に秒針４１が指示する上限超過位置、下限超過位置を設定したので、使用者は計測値がセンサー計測目盛部３１の範囲外であることを容易に把握できる。したがって、使用者は、最大値や最小値を変更する必要があることを把握でき、これらを変更することで、センサー計測値を正しく把握することができる。
記憶部６２に最大値、最小値を記憶しているので、計測値表示モードが選択された場合に、前回の最大値、最小値を用いてセンサー計測目盛部３１を設定でき、使用者の利便性を向上できる。
【００５７】
［第２実施形態］
次に、本実施形態の第２実施形態の電子時計１Ａについて説明する。
第２実施形態の電子時計１Ａは、第１実施形態の電子時計１に対し、高度に加えて、気圧、気温を計測可能なセンサーを備えており、このため、以下に説明する点で相違する。なお、電子時計１Ａの構成や指針表示制御は、図５、６に示す第１実施形態のブロック図、フローチャートと同様であるため、説明を省略する。
【００５８】
電子時計１Ａは、高度に加えて、気圧、気温を計測可能なセンサーを備えている。電子時計１の高度センサー６５は、気圧を測定して高度を求めるため、気圧センサーを兼ねている。したがって、電子時計１Ａは、電子時計１の構成に加えて温度センサーが追加されている。
【００５９】
電子時計１Ａは、図１０に示すように、秒針４１で指示するセンサー計測値の種類を指示するモード針４５を備えている。モード針４５は、秒針４１の表示モードが、時刻、高度、気圧、気温のいずれであるかを指示する。このため、文字板３には、モード針４５で指示される時刻、高度、気圧、気温を示す記号「ｈ」、「ｍ」、「Pa」、「℃」が表記されている。そして、モード設定部１２は、図示しないモード針駆動部を介して、モード針４５を上記４種類から選択されたモード位置に移動する。
【００６０】
電子時計１Ａのモード設定部１２は、Ａボタン６が押されると、秒針４１の表示モードを、時刻表示モードと計測値表示モードとに切り替える。
モード設定部１２は、計測値表示モードに切り替えられた場合、前回の計測値表示モードに設定されていたモードを選択し、さらに、Ｂボタン７が押される毎に、高度表示モード、気圧表示モード、気温表示モードの順にモードを切り替え、さらにＢボタン７を押すと、高度表示モードに戻り、上記の順にモードを切り替える。したがって、本実施形態では、モード設定部１２がセンサー選択部として機能する。
【００６１】
文字板３の第１小窓３４、第２小窓３５には、最大値、最小値を表示する第１表示部である第１表示パネル３６１と、第２表示部である第２表示パネル３７１とが設けられている。各表示パネル３６１、３７１は、液晶パネル、有機ＥＬ（Electro Luminescence）パネル、電子ペーパーと呼ばれる電気泳動表示パネル等、数値を表示可能な表示パネルで構成されている。
【００６２】
リューズ５Ａは、引出位置と回転量とを電気的に検出できる電子式リューズが用いられている。このため、電子時計１Ａでは、リューズ５Ａを１段位置に引き出して回すと、第１表示パネル３６１に表示される数字を変更でき、リューズ５Ａを２段位置に引き出して回すと、第２表示パネル３７１に表示される数字を変更できるように構成されている。
【００６３】
最大値、最小値は、計測値表示モードの各モード毎に設定され、記憶部６２に記憶される。
例えば、高度表示モードを選択した状態でリューズ５Ａを１段位置、２段位置に引き出した場合は、高度表示モードにおける最大値、最小値を変更して設定できる。この際、リューズ５Ａを回転した際に、第１表示パネル３６１、第２表示パネル３７１に表示される数値は、記憶部６２に予め記憶されている。記憶部６２には、高度表示モードの最大値、最小値として選択可能な数値のみが記憶されており、使用者は容易に数値を選択できるように構成されている。このため、使用者は、第１実施形態と同様に、リューズ５Ａを回転して切り替わる数値から希望する最大値、最小値を選択する。
【００６４】
同様に、気圧表示モードを選択した状態でリューズ５Ａを１段位置、２段位置に引き出した場合は、気圧表示モードにおける最大値、最小値を変更して設定でき、これらの最大値、最小値の選択肢も予め記憶部６２に記憶されている。
同様に、気温表示モードを選択した状態でリューズ５Ａを１段位置、２段位置に引き出した場合は、気温表示モードにおける最大値、最小値を変更して設定でき、これらの最大値、最小値の選択肢も予め記憶部６２に記憶されている。
【００６５】
なお、各表示モードの最大値、最小値の変更処理は、先にＡボタン６を押して計測値表示モードを選択し、さらにＢボタン７を押して、高度、気圧、気温のいずれかの表示モードを選択してから、リューズ５Ａを１段位置や２段位置に引き出し、さらに回転して操作してもよい。
また、先にリューズ５Ａを１段位置や２段位置に引き出して、最大値や最小値の変更モードに移行してから、Ｂボタン７を押して、高度、気圧、気温のいずれかのモードを選択し、リューズ５Ａを回転して操作してもよい。
いずれの場合もモード針４５が選択されているモードを表示するため、使用者はどの表示モードの最大値、最小値を変更しているかを容易に把握できる。
【００６６】
次に、電子時計１Ａにおいて、秒針４１によるセンサー計測値の指示例について、図１１〜１７を参照して説明する。
図１１〜１７の指示例は、第１実施形態と同じく、松本市で生活している使用者が８月に富士登山を行った場合の例であり、図１１〜１３は気圧表示モードを選択している場合の指示例であり、図１４〜１７は気温表示モードを選択している場合の指示例である。
【００６７】
［気圧表示モードの指示例］
気圧表示モードの場合、モード針４５は「Pa」の位置を指示する。また、松本市の８月の平均気圧は約９４０ｈＰａなので、使用者は、通常時は、図１１に示すように、センサー計測目盛部３１の最大値を１０００（hPa）、最小値を９００（hPa）に設定している。使用者の自宅（標高６００ｍ程度）での気圧が９５０hPaであったとすると、図１１に示すように、秒針駆動制御部１６は、秒針４１を、気圧９５０hPaを指示する位置（３０秒位置）に移動する。
【００６８】
図１２は、使用者が、富士スバルライン５合目（標高２３００ｍ）に移動した場合の指示例である。使用者は、登山中の気圧を確認できるように、最大値変更処理（ステップＳ５）、最小値変更処理（ステップＳ７）において、最大値を８００hPa、最小値を６００hPaに変更した。登山口（標高２３００ｍ）での気圧は７７５hPaであったため、図１２に示すように、秒針駆動制御部１６は、秒針４１を、気圧７７５hPaを指示する位置（４１．２５秒位置）に移動する。
【００６９】
使用者が気圧表示モードに設定したまま、登山すると、高度センサー（気圧センサー）６５は一定時間間隔（例えば１分間隔）で気圧を測定し、秒針駆動制御部１６は、秒針４１を気圧センサー６５のセンサー測定値（気圧）を指示する位置に移動する。
使用者が富士山山頂（標高３７７６ｍ）に到達した際に気圧が６３０hPaであった場合、図１３に示すように、秒針駆動制御部１６は、秒針４１を、気圧６３０hPaを指示する位置（１９．５秒位置）に移動する。
【００７０】
［気温表示モードの指示例］
気温表示モードの場合、モード針４５は「℃」の位置を指示する。また、松本市の８月の平均気温は２０〜３０℃程度なので、使用者は、通常時は、図１４に示すように、センサー計測目盛部３１の最大値を４０（℃）、最小値を１０（℃）に設定している。使用者の自宅での気温が２２℃であったとすると、図１４に示すように、秒針駆動制御部１６は、秒針４１を、温度２２℃を指示する位置（２７秒位置）に移動する。
【００７１】
使用者が、富士スバルライン５合目に移動した場合に、気温が１５℃であったとすると、図１５に示すように、秒針駆動制御部１６は、秒針４１を、気温１５℃を指示する位置（２０秒位置）に移動する。
【００７２】
使用者が、富士山の山頂に到達した際の気温が７℃であったとすると、最小値である１０℃を下回るため、図１６に示すように、秒針駆動制御部１６は、秒針４１を、最小値未満になった場合の下限超過位置（例えば１３秒位置）に移動する。
すると、使用者は、秒針４１がセンサー計測目盛部３１のレンジを超えていることが分かるため、最小値変更処理（ステップＳ７）を実行して最小値を例えば０℃に変更する。
最小値が変更されると、図１７に示すように、秒針駆動制御部１６は、気温７℃に対応する秒針４１の位置を計算し直し、気温７℃を指示する新たな位置（２０．２５秒位置）に移動する。
【００７３】
なお、高度表示モードを選択した場合の秒針４１の動作は、モード針４５が「ｍ」を指示すること以外は、第１実施形態の図７〜９に示す例と同じであるため、説明を省略する。
【００７４】
［第２実施形態の効果］
第２実施形態に係る電子時計１Ａによれば、第１実施形態と同様の効果を奏することができ、さらに、以下の効果を奏することができる。
３種類のセンサー計測値を表示できるため、使用者は様々な種類のセンサー計測値を確認することができる。また、センサー選択部であるモード設定部１２で選択されたセンサーの種類に応じて最大値、最小値を記憶部６２に記憶し、記憶された値を表示パネル３６１、第２表示パネル３７１に表示して設定するため、各センサー計測値に応じた適切なレンジを設定でき、使用者は秒針４１の指示位置によってセンサー計測値を容易に把握できる。
さらに、最大値および最小値を使用者の変更入力操作でセンサーの種類毎に設定できるため、この点でも使用者の利便性を向上できる。
【００７５】
［第３実施形態］
次に、第３実施形態の電子時計１Ｂについて説明する。
第３実施形態の電子時計１Ｂは、前記実施形態の電子時計１、１Ａに対し、最大値、最小値の倍率を指示する倍率表示部３９を備える点が相違する。
すなわち、図１８に示すように、電子時計１Ｂの文字板３には、第１小窓３４、第２小窓３５の他に、倍率表示部３９が設けられている。
そして、第１小窓３４に表示される第１表示板３６Ｂには、１〜１０までの整数が表記され、第２小窓３５に表示される第２表示板３７Ｂには、０〜９までの整数が表記される。
【００７６】
倍率表示部３９は、第１小窓３４、第２小窓３５に表示される数値の倍率を指定するものであり、１倍、１０倍、１００倍、１０００倍の４種類の倍率が表示される。
表１に、各倍率を選択した場合に、設定可能な最大値、最小値を示す。すなわち、設定可能な最大値は、第１表示板３６Ｂに表記された数字×倍率の各数字であり、設定可能な最小値は、第２表示板３７Ｂに表記された数字×倍率の各数字である。
なお、前記倍率表示部３９における倍率の設定は、表１の用途に記載したように、モード設定部１２でセンサーの種類を選択すると自動的に設定される。但し、使用者が電子時計１Ｂに設けられる所定のボタンを押すことなどで、倍率を変更できるようにしてもよい。
【００７７】
【表１】
2018109594.tif 000003
【００７８】
電子時計１Ｂにおいて、倍率、最大値、最小値の組み合わせ例を、図１８〜２３を参照して説明する。
図１８は、倍率を１、最大値を１０、最小値を０とし、センサー計測値が「５」の場合の秒針４１の指示例である。図１９は、倍率を１、最大値を１０、最小値を４とし、センサー計測値が「７」の場合の秒針４１の指示例である。図２０は、倍率を１、最大値を６、最小値を０とし、センサー計測値が「３」の場合の秒針４１の指示例である。
図２１は、倍率を１０、最大値を１００（１０×１０）、最小値を２０（２×１０）とし、センサー計測値が「６０」の場合の秒針４１の指示例である。図２２は、倍率を１００、最大値を４００（４×１００）、最小値を０とし、センサー計測値が「２００」の場合の秒針４１の指示例である。図２３は、倍率を１０００、最大値を９０００（９×１０００）、最小値を５０００（５×１０００）とし、センサー計測値が「７０００」の場合の秒針４１の指示例である。
【００７９】
［第３実施形態の効果］
第３実施形態に係る電子時計１Ｂによれば、第１実施形態と同様の効果を奏することができ、さらに、以下の効果を奏することができる。
倍率表示部３９を設けたので、第１表示板３６Ｂ、第２表示板３７Ｂに表記する数字が、「０」〜「９」の１桁の数字および「１０」だけであっても、センサー計測値として表示可能な範囲は、０〜１００００の範囲に設定できる。
したがって、桁数が異なる様々なセンサー計測値を表示することができ、電子時計１Ｂに搭載されるセンサーの種類が異なる場合でも、第１表示板３６Ｂ、第２表示板３７Ｂは共通のものが利用できる。
【００８０】
［第４実施形態］
次に、第４実施形態の電子時計１Ｃについて説明する。
電子時計１Ｃは、図２４に示すように、最大値および最小値の変更入力操作を、スマートフォンなどの外部の電子機器１００によって行うものである。
電子時計１Ｃは、電子機器１００と無線通信可能な通信モジュール９０が内蔵されている。また、第２実施形態の電子時計１Ａと同様に、表示パネルで構成された第１表示パネル３６１、第２表示パネル３７１が設けられている。
【００８１】
電子機器１００は、第１入力値および第２入力値を入力可能な入力部１１０と、第１入力値および第２入力値を送信可能な通信部１２０とを備えており、電子時計１Ｃの設定操作を行うためのアプリケーションがインストールされている。
入力部１１０は、タッチ入力可能な表示パネルで構成されている。入力部１１０には、前記アプリケーションによって、第１入力値を選択して入力する第１入力窓１１１と、第２入力値を選択して入力する第２入力窓１１２と、入力された入力値を通信部１２０を用いて電子時計１Ｃに送信する処理を指示する設定ボタン１１３とが表示されている。
【００８２】
利用者は、入力部１１０に表示された第１入力値、第２入力値の選択候補の数値を画面タッチ操作などで選択し、設定ボタン１１３を押す。電子機器１００は、設定ボタン１１３が押されると、入力された第１入力値、第２入力値を、通信部１２０を用いて電子時計１Ｃに送信する。
電子時計１Ｃは、通信モジュール９０で第１入力値、第２入力値を受信すると、制御部１０の設定制御部１３が、第１入力値を最大値とし、第２入力値を最小値として、記憶部６２に記憶し、さらに、第１表示パネル３６１、第２表示パネル３７１に最大値、最小値を表示する。したがって、電子時計１Ｃでは、設定制御部１３が入力検出部を兼ねている。
【００８３】
このような第４実施形態の電子時計１Ｃによれば、電子機器１００を用いて最大値、最小値を設定できるので、設定操作を容易に行うことができる。また、電子機器１００の入力部１１０を用いて入力できるため、センサーの種類に応じた最大値、最小値を設定する場合に、入力部１１０の表示を入力に適した画面に設定することもでき、変更入力操作を容易に行うことができる。
【００８４】
［変形例］
本発明は、上記実施形態に限定されるものではなく、本発明の目的を達成できる範囲での変形、改良等は本発明に含まれるものである。
例えば、第１実施形態の電子時計１では、第１表示板３６、第２表示板３７は、同じ大きさの円板で構成していたが、図２５に示すように、リング状の第１表示板３６２と、第１表示板３６２の内側に配置された円板状の第２表示板３７２とで構成してもよい。
このような構成は、従来の時計の日車、曜車の機構を流用できるため、低コストで実現できる利点がある。また、第１表示板３６２、第２表示板３７２は、第１表示板３６、第２表示板３７に比べて、直径を大きくできるため、表記できる数値の数も増やすことができ、最大値や最小値の選択肢を増やすことができる。
【００８５】
センサー計測値を指示する指針としては、秒針４１に限定されない。例えば、分針４２を独立したモーターで駆動している場合には、分針４２をセンサー計測値を指示する指針としてもよい。
また、センサー計測値を指示する指針は、時刻表示針と兼用されるものに限定されず、時刻以外の情報を指示するモード針等と兼用してもよいし、センサー計測値を指示する専用針としてもよい。
さらに、センサー計測値を指示する指針としては、センター針に限定されず、サブダイヤル等に設けられた指針でもよい。
【００８６】
センサー計測目盛部３１の範囲は、前記実施形態に限定されない。例えば、９時位置から１２時位置を経由して３時位置までの文字板３の上半分に設けてもよい。また、１２時位置から３時位置または９時位置を経由して６時位置まで文字板３の右半分あるいは左半分に設けてもよい。
さらに、センサー計測目盛部３１の範囲は、半円の範囲に限定されず、例えば、２時位置から６時位置を経由して１０時位置まで、中心角が２４０度の扇形部分に設けてもよいし、４時位置から８時位置までの中心角が１２０度の扇形部分に設けてもよい。
【００８７】
第１表示部３２、第２表示部３３の位置は、センサー計測目盛部３１の範囲の端部近くであることが好ましいが、その位置は限定されない。例えば、センサー計測目盛部３１が第１実施形態のように、３時位置から９時位置までの場合に、第１表示部３２を目盛３０の１２時位置と回転軸４０との間に配置し、第２表示部３３を６時位置と回転軸４０との間に配置してもよい。この場合、文字板３に、９時位置の目盛と第１表示部３２とを結ぶ矢印などの線を表記し、３時位置の目盛と第２表示部３３とを結ぶ矢印などの線を表記して、目盛との関係を把握できるようにしてもよい。
また、第１表示部３２を文字板３の３時位置に配置し、第２表示部３３を９時位置に配置し、最大値がセンサー計測目盛部３１の右端で指示され、最小値が左端で指示されるようにしてもよい。
【００８８】
前記実施形態では、センサー計測値がセンサー計測目盛部３１の範囲外である場合に、上限超過位置（４７秒位置）と、下限超過位置（１３秒位置）とに指針を移動していたが、最大値の位置（４５秒位置）や最小値の位置（１５秒位置）で指針が停止するように規制してもよい。
また、センサー計測値がセンサー計測目盛部３１の範囲外である場合に、センサー計測目盛部３１が例えば１２時位置まで延長されていると仮定して、指針の指示位置を算出し、指示位置が１２時位置を超えない場合にはその指示位置まで指針を移動してもよい。
【００８９】
リューズ５で最大値、最小値を変更する場合に、１段位置で最小値を変更し、２段位置で最大値を変更してもよい。
第１表示板３６および第２表示板３７を回転して最大値および最小値を設定する操作としては、リューズ５を回転し、その操作で輪列を回転させて各表示板３６、３７を回転するものに限定されない。例えば、第１表示板３６、第２表示板３７を回転するステップモーターおよび輪列を設け、リューズを電子式リューズで構成し、リューズの引出位置と、回転量とで、各ステップモーターを駆動して第１表示板３６や第２表示板３７を回転してもよい。
さらに、リューズの代わりに、Ａボタン６、Ｂボタン７を押す回数や時間でステップモーターを駆動して第１表示板３６や第２表示板３７を回転してもよい。
【００９０】
センサーとしては、高度、気圧、気温を測定するセンサーに限定されず、紫外線、歩数や消費カロリー、照度などを検出するセンサーを設けてもよい。また、これらのセンサーは、電子時計内に内蔵されるものに限定されず、電子時計とは別体に設けられ、無線通信などでセンサー計測値を電子時計に送信できるものでもよい。
【符号の説明】
【００９１】
１、１Ａ、１Ｂ、１Ｃ…電子時計、３…文字板、４…指針、４１…センサー計測値の指針である秒針、４２…分針、４３…時針、５、５Ａ…リューズ、６…Ａボタン、７…Ｂボタン、１０…制御部、１１…リューズ段数判定部、１２…モード設定部、１３…設定制御部、１４…第１設定制御部、１５…第２設定制御部、１６…指針駆動制御部である秒針駆動制御部、１７…時分針駆動制御部、２１…秒針駆動部、２２…時分針駆動部、３０…目盛、３１…センサー計測目盛部、３２…第１表示部、３３…第２表示部、３４…第１小窓、３５…第２小窓、３６、３６Ｂ、３６１…第１表示板、３７、３７Ｂ、３７２…第２表示板、３９…倍率表示部、４０…回転軸、４５…モード針、５１…段数検出部、５５…入力検出部、５６…第１回転位置検出部、５７…第２回転位置検出部、６０…計時部、６２…記憶部、６５…高度センサー、９０…通信モジュール、１００…電子機器、１１０…入力部、１１１…第１入力窓、１１２…第２入力窓、１１３…設定ボタン、１２０…通信部、３６１…第１表示パネル、３７１…第２表示パネル。
【図１】
2018109594.tif 000004
【図２】
2018109594.tif 000005
【図３】
2018109594.tif 000006
【図４】
2018109594.tif 000007
【図５】
2018109594.tif 000008
【図６】
2018109594.tif 000009
【図７】
2018109594.tif 000010
【図８】
2018109594.tif 000011
【図９】
2018109594.tif 000012
【図１０】
2018109594.tif 000013
【図１１】
2018109594.tif 000014
【図１２】
2018109594.tif 000015
【図１３】
2018109594.tif 000016
【図１４】
2018109594.tif 000017
【図１５】
2018109594.tif 000018
【図１６】
2018109594.tif 000019
【図１７】
2018109594.tif 000020
【図１８】
2018109594.tif 000021
【図１９】
2018109594.tif 000022
【図２０】
2018109594.tif 000023
【図２１】
2018109594.tif 000024
【図２２】
2018109594.tif 000025
【図２３】
2018109594.tif 000026
【図２４】
2018109594.tif 000027
【図２５】
2018109594.tif 000028